(57)【要約】【課題】電池セル同士の電気的な接続を簡素化しつつ電池セルの劣化を起こり難くすることが可能なバスバーモジュール及び電池セル接続方法を提供する。また、バスバーモジュールを備える電池モジュール及び電池パックを提供する。【解決手段】バスバーモジュール３は、複数個の電池セル４をＮ×（Ｎ＋１）列で並べた時の、電池セル４の電気的な接続に有効なものである。バスバーモジュール３は、導電性を有する複数種類のバスバー１３と、この複数種類のバスバー１３を保持する絶縁性のフレーム１４とを備えて構成される。複数種類のバスバー１３は、複数個の電池セル４を電気的にＮ並列（Ｎ＋１）直列に接続することが可能に構成される。バスバーモジュール３は、複数個の電池セル４のうちの並列部分において、バスバー抵抗値がバラツキを抑えた状態に合わせられる。【選択図】図１
2019186001.tif 000002
【特許請求の範囲】
【請求項１】
複数個の電池セルからなる電池セル集合体の定義として、前記電池セルの一方の電極及び他方の電極の並び方向が第一方向となり、且つ、該第一方向に直交する方向が第二方向となり、且つ、前記第一方向に並ぶ前記電池セルの数がＮ個（Ｎは２以上の整数）となり、且つ、前記第二方向に並ぶ前記電池セルの数がＮ＋１個となり、且つ、前記第二方向に並ぶ前記電池セルのうち１個目からＮ個目までが前記一方の電極と前記他方の電極との順で前記第一方向に電極が並ぶものとなり、且つ、前記第二方向に並ぶ前記電池セルのうちＮ＋１個目のみが前記他方の電極と前記一方の電極との順で前記第一方向に電極が並ぶものとなるように定義をすると、
当該バスバーモジュールは、導電性を有するバスバーと、該バスバーを保持する部分としての保持部が形成された絶縁性のフレームとを備え、
前記バスバーは、前記複数個の電池セルを電気的にＮ並列（Ｎ＋１）直列に接続するため複数種類で構成され、
該複数種類のバスバーは、前記第二方向に並ぶ前記電池セルのうちＮ＋１個目に接続されるもの同士がバスバー抵抗値を合わせるような形状に形成される
ことを特徴とするバスバーモジュール。
【請求項２】
請求項１に記載のバスバーモジュールにおいて、
前記電池セル集合体の定義として、更に、該電池セル集合体における前記第一方向に沿う一対の側部が長手側部となり、且つ、前記電池セル集合体における前記第二方向に沿う一対の側部が短手側部となるように定義をすると、
前記複数種類のバスバーは、これらのうち前記一対の短手側部の一方に近い２つに電源取り出し用の外部接続部がそれぞれ形成される
ことを特徴とするバスバーモジュール。
【請求項３】
請求項２に記載のバスバーモジュールにおいて、
前記２つの外部接続部は、前記一方の短手側部から突出する形状に形成され、且つ、前記一方の短手側部の中央から略同じ間隔で配置される
ことを特徴とするバスバーモジュール。
【請求項４】
複数個の電池セルからなる電池セル集合体と、該電池セル集合体に組み付けられるバスバーモジュールとを備え、
前記電池セル集合体は、前記電池セルの一方の電極及び他方の電極の並び方向が第一方向となり、且つ、該第一方向に直交する方向が第二方向となり、且つ、前記第一方向に並ぶ前記電池セルの数がＮ個（Ｎは２以上の整数）となり、且つ、前記第二方向に並ぶ前記電池セルの数がＮ＋１個となり、且つ、前記第二方向に並ぶ前記電池セルのうち１個目からＮ個目までが前記一方の電極と前記他方の電極との順で前記第一方向に電極が並ぶものとなり、且つ、前記第二方向に並ぶ前記電池セルのうちＮ＋１個目のみが前記他方の電極と前記一方の電極との順で前記第一方向に電極が並ぶものとなるものであり、
前記バスバーモジュールは、前記複数個の電池セルを電気的にＮ並列（Ｎ＋１）直列に接続するための請求項１、２又は３に記載のバスバーモジュールである
ことを特徴とする電池モジュール。
【請求項５】
請求項４に記載の電池モジュールを一又は複数と、該一又は複数の電池モジュールを収容するケースとを備える
ことを特徴とする電池パック。
【請求項６】
複数個の電池セルからなる電池セル集合体の定義として、前記電池セルの一方の電極及び他方の電極の並び方向が第一方向となり、且つ、該第一方向に直交する方向が第二方向となり、且つ、前記第一方向に並ぶ前記電池セルの数がＮ個（Ｎは２以上の整数）となり、且つ、前記第二方向に並ぶ前記電池セルの数がＮ＋１個となり、且つ、前記第二方向に並ぶ前記電池セルのうち１個目からＮ個目までが前記一方の電極と前記他方の電極との順で前記第一方向に電極が並ぶものとなり、且つ、前記第二方向に並ぶ前記電池セルのうちＮ＋１個目のみが前記他方の電極と前記一方の電極との順で前記第一方向に電極が並ぶものとなるように定義をすると、
前記複数個の電池セルを電気的にＮ並列（Ｎ＋１）直列に接続するにあたり、導電性を有する複数種類のバスバーを絶縁性を有するフレームの保持部に保持したバスバーモジュールを用いるものとし、
前記複数種類のバスバーにおける、前記第二方向に並ぶ前記電池セルのうちＮ＋１個目に接続されるもの同士は、バスバー抵抗値を合わせる
ことを特徴とする電池セル接続方法。
【発明の詳細な説明】
【技術分野】
【０００１】
本発明は、複数個の電池セルを電気的に接続するバスバーモジュールに関する。また、このバスバーモジュールを備える電池モジュール及び電池パックに関する。また、バスバーモジュールを用いて複数個の電池セルを電気的に接続する電池セル接続方法に関する。
【背景技術】
【０００２】
下記特許文献１には、電池モジュールについての技術が開示される。電池モジュールは、複数個の電池セルからなる電池セル集合体と、この電池セル集合体に組み付けられるバスバーモジュールとを備えて構成される。電池セル集合体は、複数個の電池セルを一列に並べて形成される。バスバーモジュールは、複数個の電池セルを直列に接続する複数個のバスバーと、この複数個のバスバーを各々保持する保持部が形成されたフレームとを備えて構成される。
【先行技術文献】
【特許文献】
【０００３】
【特許文献１】特開２０１３−１０９９２７号公報
【発明の概要】
【発明が解決しようとする課題】
【０００４】
上記従来の電池モジュールにあっては、これを構成する複数個の電池セルが一方向に一列で並ぶ形状のものになることから、電池モジュールを設置するには、上記一方向に比較的大きな接地スペースを確保しなければならなかった。そこで本願発明者は、次のようなことを考えてみた。すなわち、電池セルを例えば１２個とした場合、電池セルを一方向に１２個一列で並べるのではなく、３×４列で並べて接地スペースを上記一方向で見て短くすることを考えてみた。
【０００５】
電池セルを３×４列で並べることは、接地スペースを上記一方向で短くすることができて有効であることが分かった。しなしながら、電池セル同士の電気的な接続に関しては、複雑さがあり、この接続の複雑さに起因してバスバー抵抗値にバラツキが生じると、電池セルの劣化につながることが懸念され、そのため改善の余地があることも分かった。
【０００６】
本発明は、上記した事情に鑑みてなされたもので、電池セル同士の電気的な接続を簡素化しつつ電池セルの劣化を起こり難くすることが可能なバスバーモジュールを提供することを課題とする。また、このバスバーモジュールを備える電池モジュール及び電池パックを提供することも課題とする。また、電池セル同士の電気的な接続を簡素化しつつ電池セルの劣化を起こり難くすることが可能な電池セル接続方法を提供することも課題とする。
【課題を解決するための手段】
【０００７】
上記課題を解決するためになされた請求項１に記載の本発明のバスバーモジュールは、複数個の電池セルからなる電池セル集合体の定義として、前記電池セルの一方の電極及び他方の電極の並び方向が第一方向となり、且つ、該第一方向に直交する方向が第二方向となり、且つ、前記第一方向に並ぶ前記電池セルの数がＮ個（Ｎは２以上の整数）となり、且つ、前記第二方向に並ぶ前記電池セルの数がＮ＋１個となり、且つ、前記第二方向に並ぶ前記電池セルのうち１個目からＮ個目までが前記一方の電極と前記他方の電極との順で前記第一方向に電極が並ぶものとなり、且つ、前記第二方向に並ぶ前記電池セルのうちＮ＋１個目のみが前記他方の電極と前記一方の電極との順で前記第一方向に電極が並ぶものとなるように定義をすると、
当該バスバーモジュールは、導電性を有するバスバーと、該バスバーを保持する部分としての保持部が形成された絶縁性のフレームとを備え、
前記バスバーは、前記複数個の電池セルを電気的にＮ並列（Ｎ＋１）直列に接続するため複数種類で構成され、
該複数種類のバスバーは、前記第二方向に並ぶ前記電池セルのうちＮ＋１個目に接続されるもの同士がバスバー抵抗値を合わせるような形状に形成されることを特徴とする。
【０００８】
このような請求項１の特徴を有する本発明によれば、複数個の電池セルをＮ×（Ｎ＋１）列で並べた時の電気的な接続に有効なバスバーモジュールを提供することができる。そして、このバスバーモジュールを提供することにより、複数個の電池セルを一方向に一列で並べた場合と比べて接地スペースを短くすることができる。また、本発明によれば、複数個の電池セルを電気的にＮ並列（Ｎ＋１）直列に接続するにあたり、電池セルの並列部分においては、バスバー抵抗値がバラツキを抑えた状態に合わせられ、結果、一部の電池セルが劣化してしまうということを起こり難くすることができる。従って、本発明によれば、小型化と信頼性向上とを図ることができる。
【０００９】
請求項２に記載の本発明は、請求項１に記載のバスバーモジュールにおいて、前記電池セル集合体の定義として、更に、該電池セル集合体における前記第一方向に沿う一対の側部が長手側部となり、且つ、前記電池セル集合体における前記第二方向に沿う一対の側部が短手側部となるように定義をすると、
前記複数種類のバスバーは、これらのうち前記一対の短手側部の一方に近い２つに電源取り出し用の外部接続部がそれぞれ形成されることを特徴とする。
【００１０】
このような請求項２の特徴を有する本発明によれば、外部接続部を電池セル集合体における一方の短手側部の側に集約することから、電源取り出しをし易くすることができる。
【００１１】
請求項３に記載の本発明は、請求項２に記載のバスバーモジュールにおいて、前記２つの外部接続部は、前記一方の短手側部から突出する形状に形成され、且つ、前記一方の短手側部の中央から略同じ間隔で配置されることを特徴とする。
【００１２】
このような請求項３の特徴を有する本発明によれば、電源取り出しをし易くすることができるのは勿論のこと、２つの外部接続部を近づければ、電源取り出し部分をコンパクトにすることもできる。
【００１３】
また、上記課題を解決するためになされた請求項４に記載の本発明の電池モジュールは、複数個の電池セルからなる電池セル集合体と、該電池セル集合体に組み付けられるバスバーモジュールとを備え、
前記電池セル集合体は、前記電池セルの一方の電極及び他方の電極の並び方向が第一方向となり、且つ、該第一方向に直交する方向が第二方向となり、且つ、前記第一方向に並ぶ前記電池セルの数がＮ個（Ｎは２以上の整数）となり、且つ、前記第二方向に並ぶ前記電池セルの数がＮ＋１個となり、且つ、前記第二方向に並ぶ前記電池セルのうち１個目からＮ個目までが前記一方の電極と前記他方の電極との順で前記第一方向に電極が並ぶものとなり、且つ、前記第二方向に並ぶ前記電池セルのうちＮ＋１個目のみが前記他方の電極と前記一方の電極との順で前記第一方向に電極が並ぶものとなるものであり、
前記バスバーモジュールは、前記複数個の電池セルを電気的にＮ並列（Ｎ＋１）直列に接続するための請求項１、２又は３に記載のバスバーモジュールであることを特徴とする。
【００１４】
このような請求項４の特徴を有する本発明によれば、請求項１、２又は３に記載のバスバーモジュールを備えることから、複数個の電池セルを一方向に一列で並べた場合と比べて接地スペースを短くした電池モジュールにすることができる。また、本発明によれば、一部の電池セルが劣化してしまうことのない安定した状態の電池モジュールにすることができる。従って、本発明によれば、小型化と信頼性向上とを図ることができる。
【００１５】
また、上記課題を解決するためになされた請求項５に記載の本発明の電池パックは、請求項４に記載の電池モジュールを一又は複数と、該一又は複数の電池モジュールを収容するケースとを備えることを特徴とする。
【００１６】
このような請求項５の特徴を有する本発明によれば、請求項４に記載の本発明の電池モジュールを備えることから、小型化と信頼性向上とを図ることができる。
【００１７】
また、上記課題を解決するためになされた請求項６に記載の本発明の電池セル接続方法は、複数個の電池セルからなる電池セル集合体の定義として、前記電池セルの一方の電極及び他方の電極の並び方向が第一方向となり、且つ、該第一方向に直交する方向が第二方向となり、且つ、前記第一方向に並ぶ前記電池セルの数がＮ個（Ｎは２以上の整数）となり、且つ、前記第二方向に並ぶ前記電池セルの数がＮ＋１個となり、且つ、前記第二方向に並ぶ前記電池セルのうち１個目からＮ個目までが前記一方の電極と前記他方の電極との順で前記第一方向に電極が並ぶものとなり、且つ、前記第二方向に並ぶ前記電池セルのうちＮ＋１個目のみが前記他方の電極と前記一方の電極との順で前記第一方向に電極が並ぶものとなるように定義をすると、
前記複数個の電池セルを電気的にＮ並列（Ｎ＋１）直列に接続するにあたり、導電性を有する複数種類のバスバーを絶縁性を有するフレームの保持部に保持したバスバーモジュールを用いるものとし、
前記複数種類のバスバーにおける、前記第二方向に並ぶ前記電池セルのうちＮ＋１個目に接続されるもの同士は、バスバー抵抗値を合わせることを特徴とする。
【００１８】
このような請求項６の特徴を有する本発明によれば、複数個の電池セルをＮ×（Ｎ＋１）列で並べた時に有効な、電池セルに対する電気的な接続方法を提供することができる。そして、この接続方法を提供することにより、複数個の電池セルを一方向に一列で並べた場合と比べて接地スペースを短くすることができる。また、本発明によれば、複数個の電池セルを電気的にＮ並列（Ｎ＋１）直列に接続するにあたり、電池セルの並列部分においては、バスバー抵抗値がバラツキを抑えた状態に合わせられ、結果、一部の電池セルが劣化してしまうということを起こり難くすることができる。従って、本発明によれば、小型化と信頼性向上とを図ることができる。
【発明の効果】
【００１９】
本発明のバスバーモジュール及び電池セル接続方法によれば、電池セル同士の電気的な接続を簡素化しつつ電池セルの劣化を起こり難くすることもできるという効果を奏する。また、本発明の電池モジュール及び電池パックによれば、本発明のバスバーモジュールを備えることでより良いものを提供することができるという効果を奏する。
【図面の簡単な説明】
【００２０】
【図１】本発明の一実施形態を示す図であり、（ａ）は電池モジュールの平面図、（ｂ）は複数個の電池セルの配列を示す模式図、（ｃ）はバスバー抵抗値に係る説明図である。
【図２】図１（ａ）の電池モジュールの斜視図である。
【図３】図２の電池モジュールの分解斜視図である。
【図４】電池モジュールの拡大図である。
【図５】電池モジュールの拡大図である。
【図６】図３の第一バスバー及び第二バスバーの図であり、（ａ）は斜視図、（ｂ）は平面図である。
【図７】図３の第三バスバー及び第四バスバーの図であり、（ａ）は斜視図、（ｂ）は平面図である。
【図８】図３のフレームの図であり、（ａ）は斜視図、（ｂ）は平面図である。
【図９】図３の複数個の電池セルの図であり、（ａ）は斜視図、（ｂ）は平面図である。
【図１０】図２の電池モジュールの図であり、（ａ）はＡ−Ａ線断面図、（ｂ）はＢ−Ｂ線断面図である。
【図１１】図２の電池モジュールの図であり、（ａ）はＣ−Ｃ線断面図、（ｂ）はＤ−Ｄ線断面図である。
【図１２】本発明の他の一実施形態を示す電池モジュールの斜視図である。
【発明を実施するための形態】
【００２１】
バスバーモジュールは、複数個の電池セルをＮ×（Ｎ＋１）列で並べた時の、電池セルの電気的な接続に有効なものである。バスバーモジュールは、導電性を有する複数種類のバスバーと、この複数種類のバスバーを保持する絶縁性のフレームとを備えて構成される。複数種類のバスバーは、複数個の電池セルを電気的にＮ並列（Ｎ＋１）直列に接続することが可能に構成される。バスバーモジュールは、複数個の電池セルのうちの並列部分において、バスバー抵抗値がバラツキを抑えた状態に合わせられる。
【００２２】
電池モジュールは、上記のようなバスバーモジュールを備えて構成される。また、電池パックは、バスバーモジュールを備えた電池モジュールを含んで構成される。バスバーモジュールを採用することにより、電池セルを接続する方法、すなわち電池セル接続方法も採用される。
【実施例１】
【００２３】
以下、図面を参照しながら実施例１を説明する。図１は本発明の一実施形態を示す図であり、（ａ）は電池モジュールの平面図、（ｂ）は複数個の電池セルの配列を示す模式図、（ｃ）はバスバー抵抗値に係る説明図である。また、図２は電池モジュールの斜視図、図３は電池モジュールの分解斜視図、図４は電池モジュールの拡大図、図５は電池モジュールの拡大図、図６は第一バスバー及び第二バスバーの図、図７は第三バスバー及び第四バスバーの図、図８はフレームの図、図９は複数個の電池セルの図、図１０及び図１１は電池モジュールの断面図である。
【００２４】
＜電池モジュール１、電池セル集合体２、及びバスバーモジュール３等について＞
図１（ａ）において、引用符号１は電池モジュールを示す。電池モジュール１は、電池セル集合体２と、バスバーモジュール３とを備えて構成される。尚、このような電池モジュール１を一又は複数と、センサーやコントローラ等と、これらを収容するケースとを備えて図示しない電池パックが構成されるものとする。電池パックは、電気自動車やハイブリッド自動車等に搭載されて電力供給源として用いられる（又は、家庭用やオフィス用の蓄電池として用いられる）。以下、自動車用の電力供給源として説明をする。
【００２５】
＜電池セル集合体２及び電池セル４について＞
図１（ａ）、図１（ｂ）、図２、及び図３において、電池セル集合体２は、電池セル４をＮ×（Ｎ＋１）列で並べて接地スペースを短くしたものになる。本実施例では、３×４列で並べて接地スペースを従来例の一方向に一列で並べた場合と比べて短くしたものになる。
【００２６】
電池セル４は、例えば公知のリチウムイオン電池等であって、本実施例においては、直方体の形状になる電池セル本体５と、この電池セル本体５の上面６に設けられる負極７（一方の電極）及び正極８（他方の電極）とを有する。上面６は、この長手方向の長さに対して短手方向の長さが比較的短くなるような細長い長方形状に形成される。負極７及び正極８は、上面６の長手方向両端近傍に配置形成される。負極７及び正極８は、本実施例において、平面視長円形状に形成される。また、高さの低い凸形状に形成される。負極７及び正極８は導電性を有し、本実施例においては、電極上面（符号省略）がバスバーモジュール３との接続部分として用いられる。尚、負極７及び正極８は、図中の電極形状（端子形状）に限らず、例えばスタッドボルトや片状の部分等であってもよいものとする。
【００２７】
図１（ｂ）、図３、及び図９において、電池セル集合体２は、これ自身を定義すると、電池セル４の負極７及び正極８の並び方向が第一方向Ｐとなり、且つ、この第一方向Ｐに直交する方向が第二方向Ｑとなり、且つ、第一方向Ｐに並ぶ電池セル４の数がＮ個（Ｎは２以上の整数。実施例１ではＮ＝３）となり、且つ、第二方向Ｑに並ぶ電池セル４の数がＮ＋１個となり、且つ、第二方向Ｑに並ぶ電池セル４のうち１個目からＮ個目までが負極７と正極８との順で第一方向Ｐに電極が並ぶものとなり、且つ、第二方向Ｑに並ぶ電池セル４のうちＮ＋１個目のみが正極８と負極７との順で第一方向Ｐに電極が並ぶものとなり、且つ、電池セル集合体２における第一方向Ｐに沿う一対の側部が長手側部９、１０となり、且つ、電池セル集合体２における第二方向Ｑに沿う一対の側部が短手側部１１、１２となるものである。
【００２８】
尚、実施例１では電池セル４を３×４列で並べているが、後述する実施例２のように４×５列で並べてもよいものとする（Ｎ＝２やＮ＝５…の例は省略するものとする）。
【００２９】
＜バスバーモジュール３について＞
図１ないし図５において、バスバーモジュール３は、複数個の電池セル４をＮ×（Ｎ＋１）列で並べた時の、電池セル４の電気的な接続に用いられる（実施例１では、１２個の電池セル４を３×４列で並べた時の電気的な接続に用いられる）。バスバーモジュール３は、導電性を有する複数種類のバスバー１３と、この複数種類のバスバー１３を保持する絶縁性のフレーム１４とを備えて構成される。複数種類のバスバー１３は、複数個の電池セル４を電気的にＮ並列（Ｎ＋１）直列に接続することが可能に構成される（実施例１では、１２個の電池セル４を電気的に３並列４直列に接続することが可能に構成される）。バスバーモジュール３は、複数個の電池セル４のうちの並列部分において、バスバー抵抗値がバラツキを抑えた状態に合わせられる（図１（ｃ）の二点鎖線Ｌで示す並列部分において、バスバー抵抗値がバラツキを抑えた状態に合わせられる）。
【００３０】
＜複数種類のバスバー１３について＞
図３において、バスバー１３は、電池セル４を上記の如く３×４列で並べた場合、第一バスバー１５と、２つの第二バスバー１６と、第三バスバー１７と、第四バスバー１８とを備えて構成される。バスバー１３は、図３から分かるように、４種類のもので構成される（後述する実施例２でも４種類である）。バスバー１３は、導電性を有する金属板をプレス加工するなどして形成される。バスバー１３における第一バスバー１５及び第四バスバー１８は、電源取り出し用の外部接続部１９、２０を有する。
【００３１】
＜第一バスバー１５について＞
図３、図４、及び図６において、第一バスバー１５は、電極接続部２１と、上記外部接続部１９とを有して図示形状に形成される。電極接続部２１は、３つの電極を一括して接続する部分に形成される。具体的には、上記第二方向Ｑにのびる長方形の板状部分に形成される。また、貫通孔２２を等間隔で３つ有する部分に形成される。貫通孔２２は、本実施例において、溶接による接続の確認用の窓として形成される。尚、電極がスタットボルトの場合には、ボルト挿通孔として形成される。
【００３２】
第一バスバー１５における外部接続部１９は、電極接続部２１の長手方向の側部から片状に突出する部分に形成される。また、外部接続部１９は、電池セル集合体２の短手側部１１から外側に突出する長さにも形成される。外部接続部１９は、後述する第四バスバー１８の外部接続部２０と共に短手側部１１がある側に集約され（集中配置され）、また、短手側部１１の中央から略同じ間隔で並ぶように配置される。
【００３３】
＜第二バスバー１６について＞
図３、図４、及び図６において、第二バスバー１６は、一対の電極接続部２３と、これら一対の電極接続部２３を連結する連結部２４とを有して図示形状に形成される。電極接続部２３は、第一バスバー１５の電極接続部２１と同様の部分に形成される。すなわち、３つの電極を一括して接続する部分に形成される。具体的には、上記第二方向Ｑにのびる長方形の板状部分に形成される。また、貫通孔２５を等間隔で３つ有する部分に形成される。貫通孔２５は、第一バスバー１５の貫通孔２２と同様に、溶接による接続の確認用の窓として形成される。
【００３４】
＜第三バスバー１７について＞
図３〜図５、及び図７において、第三バスバー１７は、長い電極接続部２６と、２つの短い電極接続部２７、２８と、これらを連結する長尺連結部２９とを有して図示形状に形成される。長い電極接続部２６は、４つの電極を一括して接続する部分に形成される。具体的には、上記第二方向Ｑにのびる長方形の板状部分に形成される。また、貫通孔３０を等間隔で４つ有する部分に形成される。貫通孔３０は、本実施例において、溶接による接続の確認用の窓として形成される。短い電極接続部２７、２８は、それぞれ１つの電極を接続する部分に形成される。具体的には、略正方形の板状部分に形成される。また、貫通孔３１を１つ有する部分に形成される。貫通孔３１は、本実施例において、溶接による接続の確認用の窓として形成される。長尺連結部２９は、電池セル集合体２の長手側部１０の長さに対し若干短くなるような長さに形成される。長尺連結部２９は、本実施例において、長尺で真っ直ぐな帯板の形状に形成される。長尺連結部２９は、長手側部１０がある側に配置される。長尺連結部２９の所定位置（電極に合わせた位置）には、長い電極接続部２６と、２つの短い電極接続部２７、２８とが連結される。尚、この連結部分は、長い電極接続部２６と、２つの短い電極接続部２７、２８とがそれぞれ９０度折り曲げられるようにして形成される。
【００３５】
＜第四バスバー１８について＞
図３〜図５、及び図７において、第四バスバー１８は、３つの短い電極接続部３２、３３、３４と、これら３つの短い電極接続部３２、３３、３４を連結する長尺連結部３５とを有して図示形状に形成される。３つの短い電極接続部３２、３３、３４は、それぞれ１つの電極を接続する部分に形成される。具体的には、略正方形の板状部分に形成される。また、貫通孔３６を１つ有する部分に形成される。貫通孔３６は、本実施例において、溶接による接続の確認用の窓として形成される。短い電極接続部３２は、上記外部接続部２０を有する。第四バスバー１５における外部接続部２０は、短い電極接続部３２の側部から片状に突出する部分に形成される（一部クランク形状になる部分を有する）。外部接続部２０は、電池セル集合体２の短手側部１１から外側に突出する長さに形成される。外部接続部２０は、第一バスバー１５における外部接続部１９と共に短手側部１１のある側に集約され（集中配置され）、また、短手側部１１の中央から略同じ間隔で並ぶように配置される。
【００３６】
長尺連結部３５は、第三バスバー１７の長尺連結部２９よりも短くなるような長さに形成される。長尺連結部３５は、本実施例において、長尺で真っ直ぐな帯板の形状に形成される。長尺連結部３５は、第三バスバー１７の長尺連結部２９と同様に電池セル集合体２の長手側部１０に配置される。長尺連結部３５の所定位置（電極に合わせた位置）には、９０度に折り曲げられた３つの連結部５０が形成される。また、この連結部５０を介して３つの短い電極接続部３２、３３、３４が連結される（本実施例では、３つの連結部５０と３つの短い電極接続部３２、３３、３４とが別体で、溶接により連結されるが、この限りでないものとする）。
【００３７】
＜バスバー抵抗値について＞
図１及び図８を参照しながら、バスバー抵抗値について説明をする。第四バスバー１８の外部接続部２０と短い電極接続部３２との間のバスバー抵抗値をＲ１、同じく外部接続部２０と短い電極接続部３３との間のバスバー抵抗値をＲ２、同じく外部接続部２０と短い電極接続部３４との間のバスバー抵抗値をＲ３とし、また、第三バスバー１７の長い電極接続部２６における３個目の接続部分と４個目の接続部分との間のバスバー抵抗値をＲ４、長い電極接続部２６と短い電極接続部２８との間のバスバー抵抗値をＲ５、同じく長い電極接続部２６と短い電極接続部２７との間のバスバー抵抗値をＲ６とすると、バスバー抵抗値に関しては、Ｒ１＋Ｒ６≒Ｒ２＋Ｒ５≒Ｒ３＋Ｒ４が得られる（このようなバスバー抵抗値になるようにバスバー１３が複数種類で構成される）。そのため、図１（ｃ）の二点鎖線Ｌで示す並列部分においては、バスバー抵抗値がバラツキを抑えた状態に合わせられる、と言える。
【００３８】
第一バスバー１５から第四バスバー１８までのバスバー構成を採用すれば、１２個の電池セル４を３×４列で並べても、一部の電池セル４が劣化してしまうことを起こり難くすることができる（別な言い方をすると、本実施例で説明する、電池セル４に係る接続方法を採用すれば、１２個の電池セル４を３×４列で並べても、一部の電池セル４が劣化してしまうことを起こり難くすることができる）。
【００３９】
＜フレーム１４について＞
図２〜図５、及び図８において、フレーム１４は、絶縁性の樹脂材料からなる樹脂成形品であって、上述の如く複数種類のバスバー１３を保持することができるように形成される。具体的には、複数の保持部３７〜４６を有して図示形状に形成される。
【００４０】
フレーム１４における引用符号４７はフレーム側部を示す。また、保持部３７〜４６における引用符号４８は貫通孔を示す。貫通孔４８は、電極サイズに合わせて貫通する形状に形成される（図１０及び図１１参照）。保持部３７〜４６は、特に符号を付さないが、貫通孔４８を有する底壁と、この底壁に立設する枠状の側壁とで図示形状に形成される。
【００４１】
１個目の保持部３７は、第一バスバー１５を収容保持する部分に形成される。この保持部３７は、外部接続部１９を引き出すことができるような部分にも形成される。２個目の保持部３８は、これが２つ形成される。この２つの保持部３８は、２つの第二バスバー１６をそれぞれ収容保持する部分に形成される。３個目の保持部３９は、第三バスバー１７における長い電極接続部２６を収容保持する部分に形成される。４個目及び５個目の保持部４０、４１は、２つの短い電極接続部２７、２８をそれぞれ収容保持する部分に形成される。保持部４０、４１は、それぞれ保持部３８に連続するように形成される。６個目の保持部４２は、第三バスバー１７における長尺連結部２９を収容保持する部分に形成される。この保持部４２は、電池セル集合体２の長手側部１０に配置される。
【００４２】
７個目の保持部４３は、第四バスバー１８における短い電極接続部３２を収容保持する部分に形成される。この保持部４３は、保持部３７に連続するように形成される。保持部４３は、外部接続部２０を引き出すことができるような部分にも形成される。８個目の保持部４４は、第四バスバー１８における短い電極接続部３３を収容保持する部分に形成される。この保持部４４は、保持部３８に連続するように形成される。９個目の保持部４５は、第四バスバー１８における短い電極接続部３４を収容保持する部分に形成される。この保持部４５は、保持部３８に連続するように形成される。１０個目の保持部４６は、第四バスバー１８における長尺連結部３５を収容保持する部分に形成される。この保持部４６は、電池セル集合体２の長手側部１０において保持部４２よりも外側に配置される。
【００４３】
保持部４２及び保持部４６と、フレーム側部４７は、第二方向Ｑに電池セル４の４つ分の間隔をあけて配置される。また、保持部３７と保持部４３、保持部３８と保持部４０と保持部４４、保持部３８と保持部４１と保持部４５、及び保持部４８は、保持部４２及び保持部４６と、フレーム側部４７との間で略ブリッジ状に配置される。引用部号４９は、電池セル本体５の上面６を露出させるように開口する開口部を示す。
【００４４】
＜バスバーモジュール３及び電池モジュール１の組み付けについて＞
図２ないし図６において、バスバーモジュール３は、フレーム１４の保持部３７〜４６に、対応する第一バスバー１５、２つの第二バスバー１６、第三バスバー１７、及び第四バスバー１８を嵌め込み保持状態にすることで、組み付けが完了する。この後、バスバーモジュール３を電池セル集合体２に対し溶接等をすると、電池モジュール１の組み付けが完了する。
【００４５】
＜バスバーモジュール３等の効果について＞
以上、図１ないし図１１を参照しながら説明してきたように、本発明の一実施形態であるバスバーモジュール３によれば、複数個の電池セル４をＮ×（Ｎ＋１）列で並べた時の電気的な接続に有効なものになる。そして、このバスバーモジュール３を提供することにより、複数個の電池セル４を一方向に一列で並べた従来例の場合と比べて接地スペースを短くすることができる。また、バスバーモジュール３によれば、複数個の電池セル４を電気的にＮ並列（Ｎ＋１）直列に接続するにあたり、電池セル４の並列部分においては、バスバー抵抗値がバラツキを抑えた状態に合わせられ、結果、一部の電池セル４が劣化してしまうということを起こり難くすることができる。従って、バスバーモジュール３によれば、小型化と信頼性向上とを図ることができる。
【００４６】
また、バスバーモジュール３によれば、外部接続部１９、２０を電池セル集合体２における一方の短手側部１１の側に集約することから、電源取り出しをし易くすることができる。また、本実施例の図示のように、短手側部１１の中央から同じ間隔、且つ近づけた状態で外部接続部１９、２０を配置することから、電池モジュール１における電源取り出し部分をコンパクトにすることもできる。
【００４７】
この他、本発明の一実施形態である電池モジュール１によれば、バスバーモジュール３を備えることから、複数個の電池セル４を一方向に一列で並べた従来例の場合と比べて接地スペースを短くしたものにすることができる。また、電池モジュール１によれば、一部の電池セル４が劣化してしまうことのない安定した状態のものにすることができる。従って、電池モジュール１によれば、小型化と信頼性向上とを図ることができる（図示しない電池パックも小型化と信頼性向上とを図ることができるのは勿論である）。
【００４８】
また、バスバーモジュール３を用いることにより採用される電池セル接続方法によれば、複数個の電池セル４をＮ×（Ｎ＋１）列で並べた時に有効な、電池セル４に対する電気的な接続方法を提供することができる。そして、この接続方法を提供することにより、複数個の電池セル４を一方向に一列で並べた従来例の場合と比べて接地スペースを短くすることができる。また、電池セル接続方法によれば、複数個の電池セル４を電気的にＮ並列（Ｎ＋１）直列に接続するにあたり、電池セル４の並列部分においては、バスバー抵抗値がバラツキを抑えた状態に合わせられ、結果、一部の電池セル４が劣化してしまうということを起こり難くすることができる。従って、電池セル接続方法によれば、小型化と信頼性向上とを図ることができる。
【実施例２】
【００４９】
以下、図面を参照しながら実施例２を説明する。図１２は本発明の他の一実施形態を示す電池モジュールの斜視図である。尚、実施例２は、上記実施例１と基本的に同じ構成部材を採用するため、ここでは詳細な説明を省略する。
【００５０】
＜電池モジュール５１、電池セル集合体５２、及びバスバーモジュール５３等について＞
図１２において、引用符号５１は電池モジュールを示す。電池モジュール５１は、電池セル集合体５２と、バスバーモジュール５３とを備えて構成される。電池セル集合体５２は、実施例１で説明した電池セル４をＮ×（Ｎ＋１）列で並べたものである。具体的には、ＮをＮ＝４として、４×５列で並べたものである。バスバーモジュール５３は、２０個の電池セル４を４×５列で並べた時の、電池セル４の電気的な接続に用いられる。バスバーモジュール５３は、導電性を有する複数種類のバスバー５４と、この複数種類のバスバー５４を保持する絶縁性のフレーム５５とを備えて構成される。複数種類のバスバー５４は、２０個の電池セル４を電気的に４並列５直列に接続することが可能に構成される。バスバーモジュール５３は、２０個の電池セル４のうちの並列部分において、バスバー抵抗値がバラツキを抑えた状態に合わせられる。複数種類のバスバー５４は、第一バスバー５６と、３つの第二バスバー５７と、第三バスバー５８と、第四バスバー５９とを備えて構成される。
【００５１】
＜バスバーモジュール５３等の効果について＞
実施例２のバスバーモジュール３等の効果は、実施例１の効果と同じであり、ここでは省略するものとする。
【００５２】
この他、本発明は本発明の主旨を変えない範囲で種々変更実施可能なことは勿論である。
【符号の説明】
【００５３】
Ｐ…第一方向、  Ｑ…第二方向、  １…電池モジュール、  ２…電池セル集合体、  ３…バスバーモジュール、  ４…電池セル、  ５…電池セル本体、  ６…上面、  ７…負極（一方の電極）、  ８…正極（他方の電極）、  ９、１０…長手側部、  １１、１２…短手側部、  １３…バスバー、  １４…フレーム、  １５…第一バスバー、  １６…第二バスバー、  １７…第三バスバー、  １８…第四バスバー、  １９、２０…外部接続部、  ２１…電極接続部、  ２２…貫通孔、  ２３…電極接続部、  ２４…連結部、  ２５…貫通孔、  ２６…長い電極接続部、  ２７、２８…短い電極接続部、  ２９…長尺連結部、  ３０、３１…貫通孔、  ３２、３３、３４…短い電極接続部、  ３５…長尺連結部、  ３６…貫通孔、  ３７〜４６…保持部、  ４７…フレーム側部、  ４８…貫通孔、  ４９…開口部、  ５０…連結部、  ５１…電池モジュール、  ５２…電池セル集合体、  ５３…バスバーモジュール、  ５４…バスバー、  ５５…フレーム、  ５６…第一バスバー、  ５７…第二バスバー、  ５８…第三バスバー、  ５９…第四バスバー
【図１】
2019186001.tif 000003
【図２】
2019186001.tif 000004
【図３】
2019186001.tif 000005
【図４】
2019186001.tif 000006
【図５】
2019186001.tif 000007
【図６】
2019186001.tif 000008
【図７】
2019186001.tif 000009
【図８】
2019186001.tif 000010
【図９】
2019186001.tif 000011
【図１０】
2019186001.tif 000012
【図１１】
2019186001.tif 000013
【図１２】
2019186001.tif 000014